(57)【要約】【課題】  １台のリーダーによって、複数のＩＤ発信手段から発信されるＩＤを受信するとともに、必要に応じて、個々のＩＤを特定することもできるＩＤ特定システムを提供することである。【解決手段】  一定のエリアＥ１内にある読み取り可能なＩＤ発信手段２ａ，・・・から発信される全てのＩＤ信号を受信してＩＤを読み取るリーダー１と、上記全てのＩＤ発信手段のうち、特定のＩＤ発信手段から発信されるＩＤ信号を遮断し、リーダーによるこのＩＤ信号の読み取りを阻止する信号遮断手段６と、ＩＤ信号の遮断前にリーダーが読み取った全ＩＤを記憶するＩＤ記憶手段４と、ＩＤ記憶手段が記憶している遮断前のＩＤと、遮断後にリーダーが読み取ったＩＤとを対比して、上記信号遮断手段６によって遮断されたＩＤ信号に対応するＩＤを特定する処理手段３とを備えた。【選択図】  図２
2006227993.tif 000002
【特許請求の範囲】
【請求項１】
一定のエリア内にある読み取り可能な全てのＩＤ発信手段から発信される全てのＩＤ信号を受信してＩＤを読み取るリーダーと、上記ＩＤ発信手段のうち、特定のＩＤ発信手段から発信されるＩＤ信号を遮断し、リーダーによるこのＩＤの読み取りを阻止する信号遮断手段と、ＩＤ信号の遮断前にリーダーが読み取った全ＩＤを記憶するＩＤ記憶手段と、ＩＤ記憶手段が記憶している遮断前のＩＤと、遮断後にリーダーが読み取ったＩＤとを対比して、上記信号遮断手段によって遮断されたＩＤ信号に対応するＩＤを特定する処理手段とを備えたＩＤ特定システム。
【請求項２】
リーダーは、上記ＩＤ発信手段から発信されるＩＤ信号に対応するＩＤを所定時間ごとに読み取る機能を有し、上記処理手段は、リーダーが読み取った今回のＩＤの数とＩＤ記憶手段が記憶している前回読み取ったＩＤとを対比し、今回のＩＤの数が前回のＩＤの数より１少なかったとき、前回の読み取りタイミングと今回の読み取りタイミングとの間に、ＩＤ信号が遮断されたと判断し、前回読み取られたＩＤであって、今回読み取られなかったＩＤを、遮断されたＩＤ信号に対応するＩＤと特定する機能を有する請求項１に記載のＩＤ特定システム。
【請求項３】
特定のＩＤ発信手段のＩＤ信号を遮断する前の状態において、遮断予告信号を上記処理手段に対して入力する遮断予告入力手段を備え、上記処理手段は、上記遮断予告信号が入力されたときに、リーダーが読み取ったＩＤを遮断前のＩＤとしてＩＤ記憶手段へ記憶させることを特徴とする請求項１に記載のＩＤ特定システム。
【請求項４】
特定のＩＤ発信手段のＩＤ信号を遮断した後の状態において、遮断通知信号を上記処理手段に対して入力する遮断通知信号入力手段を備え、上記処理手段は、上記遮断通知信号が入力されたあとに、読み取ったＩＤを遮断後のＩＤとして、遮断前のＩＤと対比することを特徴とする請求項１または３に記載のＩＤ特定システム。
【発明の詳細な説明】
【技術分野】
【０００１】
この発明は、無線で発信されるＩＤを特定するシステムに関する。
【背景技術】
【０００２】
現在、ＩＤを発信するＩＣタグやＩＣカードから、専用のリーダーがＩＤを受信して、ＩＤを特定することが行われている。
上記ＩＣタグとリーダーとの通信エリアは、通常、数（ｃｍ）〜１０（ｃｍ）と狭いので、ＩＤを受信するためには、リーダーの通信エリア内には、１個ずつのＩＣタグが位置するようにして個々のＩＤを読み取るようにしている。つまり、リーダーに個々のＩＣタグを近づけるか、ＩＣタグが移動できない装置などに取り付けられていた場合には、リーダーを各ＩＣタグに近づけてＩＤを読み取るようにする。
【０００３】
また、例えば、遊技場内に設置された遊技機に対する不正行為を防止するために、各制御基盤に組み込まれたＩＣタグから、ＩＤを受信して、その遊技機の正誤を確認するシステムがあるが、このようなシステムでは、特許文献１にあるように、個々のＩＣタグに対応するリーダーを個別に設けて、それぞれの通信エリア内に設けられたＩＣタグからＩＤを読み取らせるようにしていた。このような遊技場のシステムでは、制御基盤が取り替えられるなどの不正が行われた場合には、遊技機から発信されるべきＩＤが発信されないため、不正行為を発見できる。
【特許文献１】特開２０００−２８８２１８号公報
【発明の開示】
【発明が解決しようとする課題】
【０００４】
上記遊技場の不正監視システムでは、個々の遊技機に対応するＩＤを読み取るために、複数のリーダーを必要とするため、設備コストが高くなってしまうという問題があった。
そこで、ＩＣタグなどのＩＤ発信手段の通信エリアを大きくして、複数のＩＤを一つのリーダーで受信できるようにすることが考えられるが、その場合には、個々のＩＤを特定することはできない。
この発明の目的は、１台のリーダーによって、複数のＩＤ発信手段から発信されるＩＤを受信するとともに、必要に応じて、個々のＩＤを特定することもできるＩＤ特定システムを提供することである。
【課題を解決するための手段】
【０００５】
第１の発明は、一定のエリア内にある読み取り可能な全てのＩＤ発信手段から発信される全てのＩＤ信号を受信してＩＤを読み取るリーダーと、上記ＩＤ発信手段のうち、特定のＩＤ発信手段から発信されるＩＤ信号を遮断し、リーダーによるこのＩＤの読み取りを阻止する信号遮断手段と、ＩＤ信号の遮断前にリーダーが読み取った全ＩＤを記憶するＩＤ記憶手段と、ＩＤ記憶手段が記憶している遮断前のＩＤと、遮断後にリーダーが読み取ったＩＤとを対比して、上記信号遮断手段によって遮断されたＩＤ信号に対応するＩＤを特定する処理手段とを備えた点に特徴を有する。
【０００６】
第２の発明は、第１の発明を前提とし、リーダーは、上記ＩＤ発信手段から発信されるＩＤ信号に対応するＩＤを所定時間ごとに読み取る機能を有し、上記処理手段は、リーダーが読み取った今回のＩＤの数とＩＤ記憶手段が記憶している前回読み取ったＩＤとを対比し、今回のＩＤの数が前回のＩＤの数より１少なかったとき、前回の読み取りタイミングと今回の読み取りタイミングとの間に、ＩＤ信号が遮断されたと判断し、前回読み取られたＩＤであって、今回読み取られなかったＩＤを、遮断されたＩＤ信号に対応するＩＤと特定する機能を有する点に特徴を有する。
【０００７】
第３の発明は、第１の発明を前提とし、特定のＩＤ発信手段のＩＤ信号を遮断する前の状態において、遮断予告信号を上記処理手段に対して入力する遮断予告入力手段を備え、上記処理手段は、上記遮断予告信号が入力されたときに、リーダーが読み取ったＩＤを遮断前のＩＤとしてＩＤ記憶手段へ記憶させる点に特徴を有する。
【０００８】
第４の発明は、上記請求項１または３を前提とし、特定のＩＤ発信手段のＩＤ信号を遮断した後の状態において、遮断通知信号を上記処理手段に対して入力する遮断通知信号入力手段を備え、上記処理手段は、上記遮断通知信号が入力されたあとに、読み取ったＩＤを遮断後のＩＤとして、遮断前のＩＤと対比する点に特徴を有する。
【発明の効果】
【０００９】
第１〜第４の発明によれば、ひとつのリーダーで、複数のＩＤ信号を受信しながら、個々のＩＤを特定することもできるため、ＩＤ発信手段の数に応じて、多数のリーダーを設ける必要がない。リーダーの設置台数を少なくできるため、設備コストを低く抑えることができる。
【００１０】
第２〜第４の発明によれば、処理手段が、ＩＤを読み取るたびに、読み取った全てのＩＤの対比を行う処理を省略できるので、処理手段の負担を軽くできる。
第３、第４の発明によれば、さらに、処理手段の処理を簡素化できる。
【発明を実施するための最良の形態】
【００１１】
図１〜図５に、この発明の第１実施形態を示す。
まず、図１および図２を用いて、この発明のＩＤを特定する原理を簡単に説明する。
この発明のリーダーである読み取り部１には、処理部３を接続し、処理部３には記憶部４と表示部５を接続している。
上記読み取り部１の通信エリアＥ１は、数１０（ｃｍ）〜数（ｍ）であり、この通信エリアＥ１内に位置するＩＤ発信手段２ａ，２ｂ，２ｃ，２ｄ，２ｅから発信されるＩＤを受信する機能を備えている。
上記ＩＤ発信手段とは、自身のＩＤを記憶し、それを無線発信する機能を備えたＩＣタグや、装置などである。
【００１２】
上記のように、通信エリアＥ１内に複数のＩＤ発信手段が位置している場合には、読み取り部１は、これらのＩＤ発信手段から発信される複数のＩＤを受信可能であるが、読み取っただけでは、どのＩＤがどのタグから発信されたものなのかを特定することができない。
そこで、この発明は、読み取り部１が全てのＩＤを読み取った後に、特定のＩＤ発信手段からのＩＤ信号だけを、読み取り部１に届かないようにする。例えば、特定のＩＤ発信手段をＩＤ発信手段２ｃとした場合、図２に示すように、ＩＤ発信手段２ｃをこの発明の信号遮断手段である遮断部材６で覆う。この遮断部材６とは、ＩＤ発信手段から発信されるＩＤ信号を、読み取り部１へ届かせないようにするものである。
【００１３】
上記のように、特定のＩＤ発信手段２ｃのみを遮断部材６で覆うと、読み取り部１は、上記ＩＤ発信手段２ｃに対応するＩＤを読み取ることできなくなるが、その他のＩＤ発信手段から発信されるＩＤを読み取ることはできる。
従って、上記遮断部材６によって特定のＩＤ発信手段２ｃを覆う前後に読み取り部１が自身の通信エリアＥ１内のＩＤを読み取り、前後に読み取ったＩＤを対比すれば、遮断部材６で覆われた特定のＩＤ発信手段２ｃのＩＤを特定することができる。すなわち、遮断前に読み取った複数のＩＤのうち、遮断後に読み取られなくなったＩＤが、遮断部材で覆われた特定のＩＤ発信手段２ｃのＩＤであると特定できる。このようにして、遮断されたＩＤ発信手段のＩＤを特定する機能を、この発明の処理手段である上記処理部３が備えている。
【００１４】
この第１実施形態は、上記原理を、スーパーマーケットなどのレジに適応した例である。
このスーパーで販売される商品には、それぞれＩＤを発信するＩＣを組み込んだＩＣラベル２ａ，２ｂ，２ｃ，２ｄ，２ｅを貼付しておく（図３参照）。このＩＣラベルが、この発明のＩＤ発信手段である。
一方、上記処理部３に接続した記憶部４は、図４に示すように、各ＩＤに、品名や価格などの商品情報を対応付けた商品情報テーブルを記憶している。商品情報としては、上記価格などのほか生産者や産地の情報などどのような情報でもかまわない。
【００１５】
また、処理部３は、読み取り部１にＩＤを読み取らせるタイミングを制御する機能と、読み取り部１が読み取ったＩＤを受信して、データ処理する機能とを備えているが、この処理部３の機能を詳細については、後で説明する。
以下に、買い物客が、かご７に入れてレジカウンターに載せた購入商品の中から、特定の商品のＩＤを特定して、対応する商品情報を表示させる手順を、図５に示すフローチャートに従って説明する。このフローチャートは、主に、上記処理部３の処理を示すものである。
なお、図３に示すように、レジカウンターには、読み取り部１と、遮断ボックス８を設けている。読み取り部１は、図１、図２で説明した読み取り部で、この読み取り部１の通信エリアＥ１内に、かご７と上記遮断ボックス８とが位置するようにしている。上記遮断ボックス８は、そこに、ＩＤ発信手段からのＩＤ信号を遮断する機能を備えた箱である。
【００１６】
上記のようにレジカウンターにかご７を載せると、処理部３は、処理を開始する（ステップＳ１）。この処理の開始は、かご７がカウンターに載せられたことを感知して自動的に行われるようにすることもできるし、レジ担当者が、手動でスイッチを入れて開始さえるようにしてもよい。
ステップＳ２で時間計測を開始し、ステップＳ３で、読み取り部１を介して読み取りエリアＥ１から全ＩＤを読み取る。このとき、読み取り部１は、かご７内の全ての商品に貼付されたＩＣラベルからＩＤを読み取ることができる。例えば、各ＩＣラベル２ａ，２ｂ，２ｃ，２ｄ，２ｅから発信されるＩＤが、それぞれＡ，Ｂ，Ｃ，Ｄ，Ｅとすれば、図６の表のように、時刻ｔ０では、ＩＤとしてＡ，Ｂ，Ｃ，Ｄ，Ｅを受信する。そして、ステップＳ４では、これらの受信したＩＤを前回のＩＤとして記憶部４に記憶させる。
【００１７】
その後、ステップＳ５で、先にＩＤを読み取ってから予め設定した所定時間Δｔが経過したかどうかを判断して、時間Δｔが経過した場合には、ステップＳ６へ進み今回のＩＤを読み取るが、時間Δｔ経過していない場合には、ステップＳ５を繰り返す。つまり、上記時間Δｔごとに、ＩＤを読み取るようにしている。上記時間Δｔの長さは、特に限定されないが、ここでは、非常に短時間とし、実質的には、ほぼ連続的にＩＤを読み取っているものとする。
【００１８】
ステップＳ６で今回のＩＤを受信したら、ステップＳ７に進み、記憶部４が記憶している前回のＩＤと、ステップＳ６で読み取ったＩＤとを対比する。ステップＳ８で、前回読み取ったＩＤと今回読み取ったＩＤとの間に差があるかどうかを判断する。差がなければ、ステップＳ１２へ進み、今回読み取ったＩＤを前回のＩＤとして記憶部４に記憶させて、ステップＳ５へ戻る。図６に示すように、時刻ｔ０から時刻ｔ１までのように、時間Δｔごとに読み取ったＩＤ、Ａ，Ｂ，Ｃ，Ｄ，Ｅが、変化なかった場合には、記憶部４が、そのまま、それを前回のＩＤとして記憶するようにする。ただし、新しく読み取ったＩＤを前回のＩＤとして記憶部４に記憶させるのではなく、差がないことを判断した時点で、新しいＩＤを記憶しないようにしてもよい。
【００１９】
一方、両者に差があった場合には、ステップＳ９へ進む。ここで、読み取ったＩＤに差があるということは、特定のＩＤが読み取られなかったことを意味する。例えば、買い物客が、自分がかご７に入れてきた商品のうち、ＩＣラベル２ｃの商品の価格を確認したくなったとき、その商品を遮断ボックス８へ入れる。ＩＣラベル２ｃが、遮断ボックス８に入ると、読み取り部１は、対応するＩＤ、すなわち、ＩＤ、Ｃを読み取ることができなくなる。従って、図６の時刻ｔ２で、読み取ったＩＤは、Ａ，Ｂ，Ｄ，Ｅとなる。
【００２０】
ステップＳ９で、前回のＩＤに含まれて今回のＩＤに含まれないＩＤとして、例えば、ＩＤ、Ｃを特定し、ステップＳ１０へ進む。
ステップ１０では、特定したＩＤに対応する商品情報を、記憶部４が記憶している商品情報テーブルから抽出して、表示部５へ出力する。表示部５を、買い物客に向ければ、そこに、上記特定の商品の価格を提示させることができる。ここで、特定したＩＤに対応する商品情報を全て表示させるようにしてもよいが、必要なものを、レジ係が手元のボタンなどで選べるようにしてもよい。
【００２１】
なお、このシステムでは、上記のようにして、レジでかごの中から、特定の商品を選んで遮断ボックス８へ入れることにより、その商品のＩＤを特定することができるため、それを利用して、その商品の商品情報を表示させることができる。ただし、特に、個々の商品情報やＩＤを特定する必要がない場合には、そのまま処理部３が、合計金額を算出して、レシートを発行することができる。例えば、合計ボタンなどが押されたら、処理部３は、その時点で読み取っている全ＩＤに対応する商品情報を、記憶部４が記憶している商品情報テーブルから抽出す。そして、抽出した価格データを合計するともに、対応する品名、単価、合計金額を、図示しないプリンタへ出力する。
【００２２】
図７に示す第２実施形態は、上記第１実施形態と同様の、レジでの態様であるが、処理部３の機能が異なる例である。ただし、システムの全体構成や、ＩＤを特定する原理などは、第１実施形態と同じである。そこで、この第２実施形態の説明にも、図１〜図３および図６を用いる。
そして、図７は、処理部３の処理手順を示したフローチャートである。このフローチャートに従って、レジで、特定の商品の商品情報を表示させる手順を説明する。
まず、図３に示すように、商品を入れたかご７をレジカウンターに載せ、図７のステップＳ１０１で、処理部３の処理が開始する。ステップＳ１０２で、時間計測を開始し、ステップＳ１０３で、読み取り部１を介してＩＤを読み取る。ステップＳ１０４で、ＩＤを前回のＩＤとして記憶部４に記憶させる。
【００２３】
そして、ステップＳ１０５、ステップＳ１０６で、先にＩＤを読んでから時間Δｔが経過したら、新たにＩＤを読み取る。この第２実施形態のステップＳ１０１〜ステップＳ１０６までの処理は、図５に示す第１実施形態のステップＳ１〜ステップＳ６と全く同じ処理である。
ステップＳ１０７では、前回読み取ったＩＤの数Ｎ１と、今回読み取ったＩＤの数Ｎ２との差が１かどうかを判断する。差が１の場合には、ステップＳ１０９へ進み、そうでない場合には、ステップＳ１０５へ戻る。
【００２４】
もしも、いずれかの商品のＩＤを特定して、送品情報を抽出するために、その商品を遮断ボックス８へ入れた場合には、そのＩＤが読み取れなくなる。例えば、図６の表のように、時刻ｔ１と時刻ｔ２との間にＩＣラベル２ｃが添付された商品を遮断ボックス８に入れると、時刻ｔ１で読み取った前回のＩＤは、Ａ，Ｂ，Ｃ，Ｄ，Ｅ、５個であり、時刻ｔ２で読み取った今回のＩＤは、Ａ，Ｂ，Ｄ，Ｅ、４個である。つまり、上記今回のＩＤの数Ｎ２が前回のＩＤの数Ｎ１よりも１だけ少なくなるはずである。
【００２５】
そこで、いずれかの商品が遮断ボックス８に入れられたかどうかを、読み取ったＩＤの数の変化で判断し、遮断ボックスに入れられたと判断した場合、すなわち、ステップＳ１０８で、Ｎ１−Ｎ２＝１の場合には、ステップＳ１０９へ進んで、前回のＩＤに含まれて今回のＩＤに含まれないＩＤを特定する。そして、ステップＳ１１０で、上記特定したＩＤに対応する商品情報を、記憶部４が記憶している商品情報テーブルから抽出し、表示部５へ出力する。これにより、特定の商品の、ＩＤを特定し、価格などの情報を表示させることができる。
【００２６】
この第２実施形態でも、特に、商品情報を抽出する必要がない場合には、第１実施形態と同様に、この処理を行わずに、処理部３が合計金額を算出することができる。
第２実施形態では、新たにＩＤを読み取った場合には、前回のＩＤと今回のＩＤとの数の差が１かどうかを判断し、その場合にのみ、ＩＤそのものの対比を行うようにしている。第２実施形態では、第１実施形態のように、新たなＩＤを読み取るたびに前回のＩＤと対比する場合と比べて、処理部３の処理が単純になる。
【００２７】
なお、図５に示す第１実施形態のステップＳ９，Ｓ１０および、図７に示す第２実施形態のステップＳ１０９，Ｓ１１０の処理では、前回のＩＤに含まれて今回のＩＤに含まれないＩＤを特定した後、このＩＤに対応する商品情報を直ちに表示部５へ出力するようにしているが、ステップＳ９またはＳ１０９でのＩＤの特定後、所定の条件が満たされているときに限って、ステップＳ１０または１１０へ進み、商品情報の出力を行う構成を採ってもよい。具体的には、遮断ボックス８による商品の遮蔽が一時的なものである場合（例えば、かご７の中から取り出されて遮断ボックス８に投入された商品が、取り出されてから所定時間が経過する前に、かご７の中に戻された場合）に限って、商品情報の出力を行う構成にすることもできる。
【００２８】
図８〜図１２に、この発明の第３実施形態を示す。
図８に示すのは、遊技機９を設置した遊技場に用いたこの発明のシステムである。図のように、一列に配置された各遊技機６の背面側にＩＤ発信手段であるＩＣタグ２ａ，２ｂ，２ｃ，２ｄ，２ｅ，・・・を取り付けている。また、読み取り部１を、その通信エリアＥ２内に、上記ＩＣタグ２ａ，２ｂ，２ｃ，２ｄ，２ｅが入る位置に設置し、この読み取り部１には、処理部３を接続している。そして、処理部３には、記憶部４および表示部５を接続している。
【００２９】
記憶部４は、図９のように、遊技機の台番号とＩＤとを対応付けた台番号テーブルを記憶している。
また、この第４実施形態で用いる遮断部材は、図１０に示すように三層構造をした、遮断板６を用いる。すなわち、遮断板６は、金属層６ａと、絶縁材層６ｂと、ＩＣ層６ｃとからなり、このＩＣ層６ｃから、遮断板６のＩＤ、Ｘが、常時、発信されるようにしている。
そして、上記複数の遊技機６のうち特定したい遊技機６のＩＣタグ部分を、上記遮断板６で覆うと、上記処理部３が、遮断板６で遮断されたＩＤを特定する機能を備えている。
その手順を、図１１のフローチャートを用いて説明する。
【００３０】
まず、ステップＳ２０１で、上記読み取り部１および処理部３の動作を開始し、ステップＳ２０２で、時間計測を開始する。ステップＳ２０３で、読み取り部１を介してＩＤを読み取る。ステップＳ２０４で、読み取ったＩＤに、Ｘが含まれるかどうか判断し、Ｘが含まれる場合には、ステップＳ２０５へ進むが、含まれない場合には、ステップＳ２１３へ進む。例えば、図１２に示すように、時刻ｔ０で、読み取ったＩＤが、Ａ，Ｂ，Ｃ，Ｄ，Ｅとする。ＩＤ、Ｘを読み取っていないので、ステップＳ２１３へ進み、時間Δｔが経過したかどうかを判断し、時間Δｔごとに、ＩＤを読み取るようにしている（ステップＳ２１３→ステップＳ２０３）。
【００３１】
もしも、上記遮断板６で、遊技機６のＩＣタグ２ｂを覆おうとした場合、遮断板６が、上記通信エリアＥ２内に入った時点で、例えば、図１２の時刻ｔ１のように、読み取り部１がＩＤ、Ｘを読み取る。このような状態では、図１１のステップＳ２０４から、ステップＳ２０５へ進み、このとき、すなわち時刻ｔ１に読み取ったＩＤを、遮断前のＩＤとして記憶する。
【００３２】
その後、ステップＳ２０６から、時間ΔｔごとにＩＤを読み取り（ステップＳ２０６→ステップ２０７）、ステップＳ２０８で、新たに読み取ったＩＤの数Ｎ２と、ステップＳ２０５で記憶したＩＤの数Ｎ１とを対比し、Ｎ１−Ｎ２＝１となるまでステップＳ２０６からステップＳ２０９を繰り返す。
ステップＳ２０９で、Ｎ１−Ｎ２＝１となった場合には、ステップＳ２１０へ進む。上記遮断板６が、いずれかのＩＣタグを覆ってＩＤ信号を遮断したと判断できるからである。図１２に示す時刻ｔ２のように、遮断前の時刻ｔ１のときに、読み取られたＩＤ、Ｂが、読み取られなくなった状態である。
【００３３】
ステップＳ２１０では、記憶部４が記憶している遮断前のＩＤと、現在読み取ったＩＤとを対比して、遮断前にふくまれて現在に含まれないＩＤを特定し、ステップＳ２１２へ進む。ステップＳ２１２では、上記特定したＩＤに対応する台番号を、記憶部４が記憶している台番号テーブルから抽出して表示部５へ出力する。
このように、遮断板６で遮断したＩＤを特定することができる。
【００３４】
そして、この第３実施形態では、上記遮断板６から発信されるＩＤ、Ｘを、初めて受信したときに、これからいずれかのＩＤ信号が遮断されると判断し、その時点は遮断前とみなしている。つまり、この遮断板６から発信されるＸのＩＤ信号が、この発明の遮断予告信号に対応し、遮断板６が、遮断予告信号入力手段に当たる。
ただし、遮断予告信号は、上記遮断板６のＩＤ信号に限らない。遮断部材を操作する担当者などが、手動で処理部３へ予告信号を入力するようにしてもよい。要するに、処理部３が、遮断前状態であることを認識して、遮断前のＩＤを読み取ることができればよい。
【００３５】
図１３〜図１５に、第４実施形態を示す。
この第４実施形態では、実際に、遮断板６でＩＣタグを覆って、ＩＤ信号を遮断した後に、そのことを処理部３へ知らせる遮断通知信号入力手段を備えた例である。
この第４実施形態でも、遮断部材として図１０に示す第３実施形態の遮断板６と同様の遮断板６に、図１３のようにスイッチ１０を備えたものを用いている。このスイッチ１０は、ＩＣ層６ｃのＩＤ発信機能をオン、オフするためのスイッチである。つまり、このスイッチ１０をオンにしなければ、遮断板６を上記読み取り部１の通信エリア内に位置させても、遮断板６のＩＤ、Ｘが、上記読み取り部１に読み取られることはない。
その他は、上記第３実施形態と同様の構成をしている。
【００３６】
次に、このシステムで、上記遮断板６で遮断したＩＤを特定し、対応する遊技台の台番号を特定する手順を図１４のフローチャートに従って説明する。
ただし、特定のＩＤ発信手段であるＩＣタグを遮断板６で覆った場合には、その時点で、上記遮断板６のスイッチ１０をオンにするものとする。
ステップＳ３１０１、上記処理部３および読み取り部１を動作開始させ、ステップＳ３０２で、処理部３は時間計測を開始する。
ステップＳ３０３で、読み取り部１を介してＩＤを読み取って、ステップＳ３０４で、読み取ったＩＤを遮断前のＩＤとして記憶部４に記憶させる。
【００３７】
その後、ステップＳ３０５〜ステップＳ３０７まで、読み取ったＩＤにＸが含まれるまでの間、時間ΔｔごとにＩＤを読み取る（ステップＳ３０６）ことを繰り返す。
例えば、図１２に示すように、時刻ｔ０から時刻ｔ１までの間、読み取られたＩＤが、Ａ，Ｂ，Ｃ，Ｄ，Ｅであり、Ｘを含まなかった場合、記憶部４が、ＩＤ、Ａ，Ｂ，Ｃ，Ｄ，Ｅを、遮断前のＩＤとして記憶している。
もしも、遮断板６によって遮断が行われた場合には、上記スイッチ１０がオンにされるので、上記ＩＣ層６ｃから、ＩＤ、Ｘが発信される。そこで、処理部３は、読み取り部１を介して、上記ＩＤ、Ｘを受信する。
【００３８】
ステップＳ３０７で、読み取ったＩＤの中に、Ｘが含まれていた場合には、処理部３は、ステップＳ３０８へ進み、記憶部４が記憶している遮断前のＩＤと、ステップＳ３０６で読み取った現在のＩＤとを対比し、ステップＳ３０９で、遮断前に含まれて現在のＩＤに含まれないＩＤを特定する。
読み取ったＩＤ中に、Ｘが含まれている場合とは、例えば、図１２の時刻ｔ２の状態であるが、このときのＩＤが遮断後のＩＤである。従って、ステップＳ３０８では、時刻ｔ１のＩＤと時刻ｔ２のＩＤとを対比する。時刻ｔ１に含まれるＩＤ、Ｂが、時刻ｔ２ではＸに替わっているので、ステップＳ３０９で、遮断前に含まれて現在のＩＤに含まれないＩＤとしてＢを特定する。
【００３９】
遮断されたＩＤを特定したら、ステップＳ３１０へ進み、そのＩＤに対応する台番号を、記憶部４が記憶している台番号テーブルから抽出して、表示部５へ出力する。
以上のように、この第４実施形態でも、他の実施形態と同様に、遮断部材で遮断されたＩＤ信号を特定することができる。
なお、この第４実施形態では、遮断通知信号として、上記遮断板６から発信されるＩＤ信号を用いているが、遮断通知信号は、遮断されたことを処理部３へ通知するために入力されるものならば、どのようなものでもかまわない。
【００４０】
また、処理部３に対し、遮断前を知らせるために、遮断予告信号入力手段と、遮断後を知らせるための、遮断通知信号入力手段とを組み合わせて、この発明のシステムを構成することもできる。ただし、その場合には、遮断予告信号と遮断通知信号とを、上記処理部３にとって、区別可能にしなければならない。
【図面の簡単な説明】
【００４１】
【図１】この発明の第１実施形態の原理説明図である。
【図２】この発明の第１実施形態の原理説明図である。
【図３】この発明の第１実施形態の利用場面を示した図である。
【図４】第１実施形態の記憶部が記憶している商品情報テーブルの例である。
【図５】第１実施形態の処理部の処理手順を示したフローチャートである。
【図６】第１実施形態において読み取られたＩＤの例を示した表である。
【図７】第２実施形態の処理部の処理手順を示したフローチャートである。
【図８】第３実施形態の利用場面を示した図である。
【図９】第３実施形態の記憶部が記憶している台番号テーブルの例である。
【図１０】第３実施形態の遮断板６の断面図である。
【図１１】第３実施形態の処理部の処理手順を示したフローチャートである。
【図１２】第３実施形態において読み取られたＩＤの例を示した表である。
【図１３】第４実施形態の遮断板の平面図である。
【図１４】第４実施形態の処理部の処理手順を示したフローチャートである。
【図１５】第４実施形態において読み取られたＩＤの例を示した表である。
【符号の説明】
【００４２】
１        読み取り部
２ａ，２ｂ，２ｃ，・・・    ＩＤ発信手段、ＩＣラベル、ＩＣタグ
３        処理部
４        記憶部
６        遮断部材、遮断板
８        遮断ボックス
【図１】
2006227993.tif 000003
【図２】
2006227993.tif 000004
【図３】
2006227993.tif 000005
【図４】
2006227993.tif 000006
【図５】
2006227993.tif 000007
【図６】
2006227993.tif 000008
【図７】
2006227993.tif 000009
【図８】
2006227993.tif 000010
【図９】
2006227993.tif 000011
【図１０】
2006227993.tif 000012
【図１１】
2006227993.tif 000013
【図１２】
2006227993.tif 000014
【図１３】
2006227993.tif 000015
【図１４】
2006227993.tif 000016
【図１５】
2006227993.tif 000017